(57)【要約】【課題】複数のセンサが情報を検出する制御について改善すること。【解決手段】１つの態様に係る携帯電子機器１は、複数のセンサと、前記センサの１つにより生体反応の検出を行う検出部と、前記生体反応の検出の有無に応じて、他のセンサによる検出周期を変更する制御を行う制御部１０とを備える。例えば、前記制御部１０は、前記生体反応が検出されたときの検出周期を、前記生体反応が検出されなかったときの検出周期に比べて短くなるように変更する。【選択図】図２
2016122927.tif 000002
【特許請求の範囲】
【請求項１】
複数のセンサと、
前記センサの１つにより生体反応の検出を行う検出部と、
前記生体反応の検出の有無に応じて、他のセンサによる検出周期を変更する制御を行う制御部と
を備える携帯電子機器。
【請求項２】
前記制御部は、前記生体反応が検出されたときの検出周期を、前記生体反応が検出されなかったときの検出周期に比べて短くなるように変更する請求項１に記載の携帯電子機器。
【請求項３】
前記制御部は、前記生体反応が検出されなかったときの検出周期を、前記生体反応が検出されたときの検出周期に比べて長くなるように変更する請求項１または２に記載の携帯電子機器。
【請求項４】
前記制御部は、前記生体反応が検出されなかったときに、前記他のセンサによる検出を停止させる請求項１に記載の携帯電子機器。
【請求項５】
複数のセンサを備える携帯電子機器が実行する制御方法であって、
前記センサの１つにより生体反応の検出を行うステップと、
前記生体反応の検出の有無に応じて、他のセンサによる検出周期を変更する制御を行うステップと
を含む制御方法。
【請求項６】
複数のセンサを備える携帯電子機器に、
前記センサの１つにより生体反応の検出を行うステップと、
前記生体反応の検出の有無に応じて、他のセンサによる検出周期を変更する制御を行うステップと
を実行させる制御プログラム。
【発明の詳細な説明】
【技術分野】
【０００１】
本出願は、携帯電子機器、制御方法、及び制御プログラムに関する。
【背景技術】
【０００２】
複数のセンサの情報を取得して管理する機能を備える携帯電子機器が知られている（例えば、特許文献１）。
【先行技術文献】
【特許文献】
【０００３】
【特許文献１】特開２０１３−１８６５３９号公報
【発明の概要】
【発明が解決しようとする課題】
【０００４】
上記の携帯電子機器では、複数のセンサが情報を検出する制御については改善の余地がある。
【課題を解決するための手段】
【０００５】
１つの態様に係る携帯電子機器は、複数のセンサと、前記センサの１つにより生体反応の検出を行う検出部と、前記生体反応の検出の有無に応じて、他のセンサによる検出周期を変更する制御を行う制御部とを備える。
【０００６】
１つの態様に係る制御方法は、複数のセンサを備える携帯電子機器が実行する制御方法であって、前記センサの１つにより生体反応の検出を行うステップと、前記生体反応の検出の有無に応じて、他のセンサによる検出周期を変更する制御を行うステップとを含む。
【０００７】
１つの態様に係る制御プログラムは、複数のセンサを備える携帯電子機器に、前記センサの１つにより生体反応の検出を行うステップと、前記生体反応の検出の有無に応じて、他のセンサによる検出周期を変更する制御を行うステップとを実行させる。
【図面の簡単な説明】
【０００８】
【図１】図１は、携帯装置の装着例を示す図である。
【図２】図２は、携帯装置の機能的な構成を示すブロック図である。
【図３】図３は、実施形態１に係る携帯装置によるセンサ制御の処理手順を示すフローチャートである。
【図４】図４は、実施形態２に係る携帯装置によるセンサ制御の処理手順を示すフローチャートである。
【発明を実施するための形態】
【０００９】
本発明を実施するための実施形態を、図面を参照しつつ詳細に説明する。以下では、携帯電子機器の例として、携帯装置について説明する。携帯装置には、例えば、ウェアラブル機器、スマートフォン、フィーチャーフォン、その他の携帯電話機、ハンドセット等が含まれるがこれらに限定されない。
【００１０】
（実施形態１）
図１を参照しながら、実施形態に係る携帯装置１の全体的な構成について説明する。図１は、携帯装置１の装着例を示す図である。図１に示すように、携帯装置１は、ユーザの身体に装着される。図１に示す例では、携帯装置１は、ユーザの手首に装着されている。ユーザの身体に装着されるとは、例えば、携帯装置１がユーザの手首、腕等に装着されること、携帯装置１がユーザのポケットに収容されること等を含む。
【００１１】
携帯装置１は、本体部２０と、装着部３０とを有する。本体部２０は、装着部３０に固定されている。装着部３０は、本体部２０をユーザの身体に装着するためのリストバンドである。携帯装置１は、ユーザの身体に装着されている状態と、ユーザの身体に装着されていない状態とを含む。携帯装置１は、ユーザの身体に装着されることにより、ユーザに関する情報を収集する。ユーザに関する情報は、例えば、ユーザの生体に関する情報、ユーザの移動状態に関する情報、ユーザの周囲環境に関する情報等を含む。
【００１２】
携帯装置１は、本体部２０の主面（正面）に設けられたタッチスクリーンディスプレイ２を有する。タッチスクリーンディスプレイ２は、主面の周縁に沿った円形の形状を有している。タッチスクリーンディスプレイ２は、文字、図形、画像等の各種の情報を含む画面を表示する機能を有する。さらに、タッチスクリーンディスプレイ２は、指、スタイラス、ペン等の各種物体の接触を検出する機能を有する。携帯装置１は、タッチスクリーンディスプレイ２が検出する接触に基づいて、タッチスクリーンディスプレイ２に表示されている画面に関するユーザの操作を判定する。
【００１３】
携帯装置１は、複数のセンサを有する。携帯装置１は、複数のセンサの駆動を制御し、複数のセンサによって各種情報を検出する。携帯装置１は、複数のセンサによって検出された検出結果に基づいた処理を行うとともに、当該検出された検出結果を収集して保存する。
【００１４】
図２を参照しながら、携帯装置１の機能的な構成について説明する。図２は、携帯装置１の機能的な構成を示すブロック図である。図２に示すように、携帯装置１は、タッチスクリーンディスプレイ２と、通信部４と、カメラ５と、マイク６と、スピーカ７と、記憶部９と、制御部１０と、照度センサ１１と、近接センサ１２と、加速度センサ１３と、方位センサ１４と、ジャイロセンサ１５と、生体センサ１６とを有する。
【００１５】
タッチスクリーンディスプレイ２は、ディスプレイ２ａと、ディスプレイ２ａに重ねられるタッチスクリーン２ｂとを有する。ディスプレイ２ａは、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２ａは、文字、図形、画像等を表示する。
【００１６】
タッチスクリーン２ｂは、タッチスクリーン２ｂに対する指、ペン、又はスタイラスペン等の接触を検出する。タッチスクリーン２ｂは、複数の指、ペン、又はスタイラスペン等がタッチスクリーン２ｂに接触した位置を検出することができる。
【００１７】
タッチスクリーン２ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者は携帯装置１を操作するために指を用いてタッチスクリーン２ｂに接触するものと想定する。
【００１８】
携帯装置１は、タッチスクリーン２ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２ｂに対して行われる操作である。携帯装置１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１９】
携帯装置１は、タッチスクリーン２ｂを介して判別するこれらのジェスチャに従って動作を行う。このため、ユーザにとって直感的で使いやすい操作性が実現される。判別されるジェスチャに従って携帯装置１が行う動作は、ディスプレイ２ａに表示されている画面に応じて異なることがある。以下の説明では、説明を簡単にするために、「タッチスクリーン２ｂが接触を検出し、検出された接触に基づいてジェスチャの種別を携帯装置１がＸと判別すること」を、「スマートフォンがＸを検出する」、又は「コントローラがＸを検出する」と記載することがある。
【００２０】
通信部４は、無線により通信する。通信部４によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信部４は、上述した通信規格の１つ又は複数をサポートしていてもよい。
【００２１】
カメラ５は、撮影した画像を電気信号へ変換して制御部１０に出力する。マイク６は、ユーザの音声等を音信号へ変換して制御部１０へ出力する。スピーカ７は、制御部１０から送信される音信号を音として出力する。
【００２２】
記憶部９は、プログラム及びデータを記憶する。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
記憶部９に記憶されるプログラムには、フォアグランド又はバックグランドで実行されるアプリケーションと、携帯装置１の基本的な機能を実現させるための制御プログラムとが含まれる。アプリケーションは、例えば、ディスプレイ２ａに画面を表示させ、タッチスクリーン２ｂを介して検出されるジェスチャに応じた処理を制御部１０に実行させる。制御プログラムは、例えば、ＯＳである。アプリケーション及び制御プログラムは、通信部４による通信又は非一過的な記憶媒体を介して記憶部９にインストールされてもよい。
【００２４】
記憶部９は、例えば、制御プログラム９ａ、設定データ９ｂ、及び検出データ９ｃを記憶する。制御プログラム９ａは、携帯装置１を稼働させるための各種制御に関する機能を提供する。制御プログラム９ａは、例えば、通信部４、マイク６、スピーカ７等を制御することによって、通話を実現させる。制御プログラム９ａが提供する機能には、タッチスクリーン２ｂに対するジェスチャに応じて携帯装置１の動作を制御する機能が含まれる。
【００２５】
設定データ９ｂは、携帯装置１の動作に関する各種の設定値を保持する。設定データ９ｂは、例えば、携帯装置１がユーザの身体に装着されていると判別するための判別条件を含む。本実施形態では、判別条件は、生体センサ１６の検出結果に基づいて、ユーザの身体に装着されていると判別するための判別閾値、判別時間等の条件を含む。
【００２６】
検出データ９ｃは、複数のセンサによって検出されたユーザに関する情報を保持する。複数のセンサは、例えば、照度センサ１１、近接センサ１２、加速度センサ１３、方位センサ１４、ジャイロセンサ１５、及び生体センサ１６を含むが、これらに限定されない。複数のセンサは、例えば、温度センサ、紫外線センサ、ＧＰＳ（Ｇｌｏｂａｌ  Ｐｏｓｉｔｉｏｎｉｎｇ  Ｓｙｓｔｅｍ）受信機等を含んでもよい。検出データ９ｃには、複数のセンサによる検出結果を示す検出情報が複数のセンサごとに記憶される。検出情報は、例えば、センサが検出した時間、センサが検出した値といった項目を含む。
【００２７】
制御部１０は、演算処理装置を有する。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部１０は、複数の演算装置を含んでいてもよい。
【００２８】
制御部１０は、携帯装置１の動作を統括的に制御して各種の機能を実現する。具体的には、制御部１０は、記憶部９に記憶されているデータを必要に応じて参照しつつ、記憶部９に記憶されているプログラムに含まれる命令を実行する。そして、制御部１０は、データ及び命令に応じて各種デバイスを制御し、それによって各種機能を実現する。
【００２９】
制御部１０は、制御プログラム９ａを実行することにより、複数のセンサの駆動を制御し、複数のセンサによる検出結果を検出データ９ｃに収集して保存する。制御部１０は、複数のセンサの検出結果に応じた処理を行う。
【００３０】
複数のセンサは、検出周期に応じて検出対象を検出し、検出結果を制御部１０に出力する。複数のセンサは、制御部１０によって動作の開始及び停止が制御される。複数のセンサは、制御部１０からの変更要求に基づいて検出周期を変更する機能を有する。複数のセンサは、制御部１０からの変更要求に応じて検出周期を変更すると、変更した検出周期に基づいて検出対象を検出する。
【００３１】
本実施形態では、各センサの検出周期は、設定データ９ｂに設定されている。設定データ９ｂは、周期情報を含む。周期情報は、ユーザの身体に装着されている場合に対応した第１検出周期と、ユーザの身体に装着されていない場合に対応した第２検出周期といった項目を有している。第１検出周期は、全てまたは一部のセンサで異なってもよい。第１検出周期は、全部または一部のセンサで共通でもよい。第２検出周期は、全てまたは一部のセンサで異なってもよい。第２検出周期は、全部または一部のセンサで共通でもよい。１つのセンサの第１検出周期は、第２検出周期よりも短い周期に設定されている。一部のセンサは、ユーザの身体に装着されている場合と、ユーザの身体に装着されていない場合とで、同じ周期に設定されていてもよい。第２検出周期は、例えば携帯装置１の消費電力を低減させるための周期が設定されている。なお、第１検出周期は、第２検出周期よりも長い周期を設定することにより、ユーザの身体に装着されている場合におけるセンサのサンプリングレートを、ユーザの身体に装着されていない場合よりも上げることができる。
【００３２】
制御部１０は、制御プログラム９ａを実行することにより、例えば、生体センサ１６による検出結果に基づいて生体反応を検出すると、生体センサ１６とは異なる他のセンサによる検出周期を変更する処理を実現する。他のセンサは、生体センサ１６と異なる複数のセンサのうちの全部または一部のセンサである。
【００３３】
照度センサ１１は、検出周期ごとに、携帯装置１の周囲光の照度を検出する。照度は、照度センサ１１の測定面の単位面積に入射する光束の値である。照度センサ１１は、例えば、ディスプレイ２ａの輝度の調整に用いられる。近接センサ１２は、検出周期ごとに、近隣の物体の存在を非接触で検出する。近接センサ１２は、磁界の変化又は超音波の反射波の帰還時間の変化等に基づいて物体の存在を検出する。近接センサ１２は、例えば、タッチスクリーンディスプレイ２が顔に近付けられたことを検出する。照度センサ１１及び近接センサ１２は、一つのセンサとして構成されていてもよい。照度センサ１１は、近接センサとして用いられてもよい。
【００３４】
加速度センサ１３は、検出周期ごとに、携帯装置１に働く加速度の方向及び大きさ、携帯装置１の傾きの角度、重力加速度の大きさ及び方向を検出する。方位センサ１４は、検出周期ごとに、地磁気の向きを検出する。ジャイロセンサ１５は、検出周期ごとに、携帯装置１の角度及び角速度を検出する。加速度センサ１３、方位センサ１４、及びジャイロセンサ１５の検出結果は、携帯装置１の位置、姿勢、及び状態の変化を検出するために、組み合わせて利用される。
【００３５】
生体センサ１６は、検出周期ごとに、生体反応を検出する。生体センサ１６は、心拍を生体反応として検出してもよいし、心臓の鼓動を生体反応として検出してもよいし、心臓が発する電気信号を生体反応として検出してもよい。生体センサ１６は、生体反応として心拍を検出する場合には赤外線センサなどを用いて構成される。生体センサ１６は、生体反応として心臓の鼓動を検出する場合には加速度センサなどを用いて構成される。生体センサ１６は、生体反応として心臓が発する電気信号を検出する場合には電位センサなどを用いて構成される。
【００３６】
本実施形態では、携帯装置１は、生体センサ１６によって心拍を生体反応として検出する場合について説明するが、これに限定されない。例えば、携帯装置１は、物体が近くにあることを生体反応として検出するように構成されてもよい。例えば、携帯装置１がユーザの身体に装着される場合、ユーザの動作に応じた加速度パターンが携帯装置１に作用する。このような場合、携帯装置１は、ユーザの動作に応じた加速度パターンを生体反応として検出するように構成されてもよい。
【００３７】
次に、図１を参照しながら、ユーザの装着状態に応じた携帯装置１のセンサ制御の例について説明する。
【００３８】
ユーザが携帯装置１を身体に装着していない場合、携帯装置１は、複数のセンサのうち、生体センサ１６を第１検出周期で検出させ、生体センサ１６と異なる他のセンサを第１検出周期よりも長い第２検出周期で検出させている。他のセンサは、携帯装置１が身体に装着されていない場合は、身体に装着されている場合よりもサンプリングレートを落として検出を行う。携帯装置１が身体に装着されていない場合、生体センサ１６は、ユーザの生体反応を検出できない。ユーザが携帯装置１を装着していない場合、携帯装置１は、第２検出周期で他のセンサによって検出された検出結果を収集して検出データ９ｃに保存する。
【００３９】
その後、図１に示すように、携帯装置１がユーザの身体に装着されると、生体センサ１６は、ユーザの生体反応を検出する。携帯装置１は、生体センサ１６の検出結果に基づいて生体反応の検出があると判別すると、他のセンサの検出周期を第２検出周期よりも短い第１検出周期に変更する。これにより、携帯装置１が身体に装着されている場合、他のセンサは、身体に装着されていない場合よりもサンプリングレートを上げて検出を行う。ユーザが携帯装置１を装着している場合、携帯装置１は、第１検出周期で他のセンサによって検出された検出結果を収集して検出データ９ｃに保存する。
【００４０】
このように、携帯装置１は、生体反応の検出の有無に応じて、他のセンサによる検出周期を変更する。これにより、携帯装置１は、ユーザの装着状態に応じた自律制御を行うことができる。ユーザの生体反応の検出がない場合、携帯装置１は、他のセンサの検出周期を、生体反応の検出がある場合よりも長い検出周期に変更することで、ユーザの身体に装着されていない場合の消費電力を低減させることができる。その結果、携帯装置１は、低消費電力化及び電池サイズの縮小による機器の小型化を図ることができる。
【００４１】
例えば、携帯装置１の収集機能をユーザにＯＮ／ＯＦＦ操作させることで、他のセンサの省電力化を図ることも考えられる。しかし、このような方法では、ユーザを煩わせるとともに、収集機能のＯＮ操作を忘れることによってデータを収集できない場合がある。実施形態１に係る携帯装置１は、ユーザの身体への装着に応じて他のセンサによる検出周期を自動的に変更することで、ユーザの操作を不要とすることができるため、利便性を低下させることなく省電力化を図ることができる。
【００４２】
その後、ユーザが携帯装置１を身体から取り外すと、生体センサ１６は、ユーザの生体反応を検出できなくなる。携帯装置１は、生体センサ１６の検出結果に基づいて生体反応の検出がないと判別すると、他のセンサの検出周期を第１検出周期よりも長い第２検出周期に変更する。これにより、他のセンサは、携帯装置１が身体に取り外されることで、身体に装着されている場合よりもサンプリングレートを落とした検出を行う。ユーザが携帯装置１を装着していない場合、携帯装置１は、第２検出周期で他のセンサによって検出された検出結果を収集して検出データ９ｃに保存する。
【００４３】
図３を参照しながら、実施形態１に係る携帯装置１によるセンサ制御の処理手順について説明する。図３は、実施形態１に係る携帯装置１によるセンサ制御の処理手順を示すフローチャートである。図３に示す処理手順は、制御部１０が制御プログラム９ａを実行することによって実現される。図３に示す処理手順は、繰り返して実行される。
【００４４】
図３に示すように、携帯装置１の制御部１０は、ステップＳ１０１として、生体センサ１６の検出結果に基づいて、生体反応の検出の有無を判別する。例えば、生体センサ１６によって生体反応が検出されている場合、ユーザは携帯装置１を身体に装着している可能性が高い。このため、制御部１０は、生体センサ１６による生体反応の検出がある場合、生体反応が検出されていると判別する。制御部１０は、生体センサ１６による生体反応の検出がない場合、生体反応が検出されていないと判別する。
【００４５】
生体反応が検出されている場合（ステップＳ１０２，Ｙｅｓ）、制御部１０は、ステップＳ１０３に進む。制御部１０は、ステップＳ１０３として、他のセンサの検出周期を、生体反応が検出されていなかったときの第２検出周期よりも短い第１検出周期に変更する。具体的には、制御部１０は、生体センサ１６と異なる他のセンサの各々に、第１検出周期への変更要求を出力する。その後、制御部１０は、図３に示す処理手順を終了させる。
【００４６】
生体反応が検出されていない場合（ステップＳ１０２，Ｎｏ）、制御部１０は、ステップＳ１０４に進む。制御部１０は、ステップＳ１０４として、他のセンサの検出周期を、生体反応が検出されていたときの第１検出周期よりも長い第２検出周期に変更する。具体的には、制御部１０は、生体センサ１６と異なる他のセンサの各々に、第２検出周期への変更要求を出力する。その後、制御部１０は、図３に示す処理手順を終了させる。
【００４７】
（実施形態２）
以下に、実施形態２に係る携帯装置１について説明する。実施形態２に係る携帯装置１は、制御プログラム９ａの機能が異なる点を除いて、図２に示した携帯装置１と同様の構成を有する。そこで、以下では、携帯装置１を例として用いて、実施形態２について説明する。
【００４８】
上記の図１及び図２を参照しながら、ユーザの装着状態に応じた実施形態２に係る携帯装置１の制御の例について説明する。
【００４９】
図１に示すように、ユーザが携帯装置１を身体に装着している場合、携帯装置１は、生体センサ１６と異なる他のセンサを第１検出周期で検出させ、生体センサ１６を所定の検出周期で検出させている。このため、他のセンサは、携帯装置１が身体に装着されている場合、検出対象の検出を行う。そして、携帯装置１が身体に装着されている場合、生体センサ１６は、ユーザの生体反応を検出する。ユーザが携帯装置１を装着している場合、携帯装置１は、第１検出周期で他のセンサによって検出された検出結果を収集して検出データ９ｃに保存する。
【００５０】
その後、ユーザが携帯装置１を身体から取り外すと、生体センサ１６は、ユーザの生体反応を検出できなくなる。携帯装置１は、生体センサ１６の検出結果に基づいて生体反応の検出がないと判別すると、他のセンサによる検出を停止させる。例えば、携帯装置１は、動作停止を意味する値に他のセンサの検出周期を変更することで、他のセンサによる検出を停止させる。例えば、携帯装置１は、停止要求を複数のセンサに出力することで、他のセンサによる検出を停止させる。これにより、他のセンサは、携帯装置１が身体に取り外されることで、自動的に検出動作を停止する。そして、携帯装置１が身体に装着されていない場合、生体センサ１６は、ユーザの生体反応を検出できない。ユーザが携帯装置１を装着していない場合、携帯装置１は、他のセンサが停止しているので、他のセンサの検出結果は収集されない。
【００５１】
このように、実施形態２に係る携帯装置１は、生体センサ１６による生体反応の検出がない場合、他のセンサによる検出を停止させる。これにより、携帯装置１は、ユーザの装着状態に応じて、ユーザの身体に装着されていない場合の消費電力を低減させることができる。
【００５２】
実施形態２に係る携帯装置１は、ユーザの身体への装着に応じて他のセンサに開始及び停止を制御することで、ユーザの操作を不要とすることができるため、利便性を低下させることなく省電力化を図ることができる。
【００５３】
その後、図１に示すように、ユーザが携帯装置１を身体に装着すると、生体センサ１６は、ユーザの生体反応を検出できるようになる。携帯装置１は、生体センサ１６の検出結果に基づいて生体反応の検出があると判別すると、他のセンサによる検出周期を、停止している状態から第１検出周期に変更する。携帯装置１は、第１検出周期による検出を他のセンサに開始させる。これにより、他のセンサは、携帯装置１が身体に装着されている場合は検出対象の検出を行い、身体に装着されていない場合は検出動作を行わない。そして、ユーザが携帯装置１を装着している場合、携帯装置１は、第１検出周期で他のセンサによって検出された検出結果を検出データ９ｃに収集して保存する。
【００５４】
図４を参照しながら、実施形態２に係る携帯装置１によるセンサ制御の処理手順について説明する。図４は、実施形態２に係る携帯装置１によるセンサ制御の処理手順を示すフローチャートである。図４に示す処理手順は、制御部１０が制御プログラム９ａを実行することによって実現される。図４に示す処理手順は、繰り返して実行される。
【００５５】
図４に示すように、携帯装置１の制御部１０は、ステップＳ２０１として、生体センサ１６の検出結果に基づいて、生体反応の検出の有無を判別する。例えば、生体センサ１６によって生体反応が検出されている場合、ユーザは携帯装置１を身体に装着している可能性が高い。このため、制御部１０は、生体センサ１６による生体反応の検出がある場合、生体反応が検出されていると判別する。制御部１０は、生体センサ１６による生体反応の検出がない場合、生体反応が検出されていないと判別する。
【００５６】
生体反応が検出されている場合（ステップＳ２０２，Ｙｅｓ）、制御部１０は、ステップＳ２０３に進む。制御部１０は、ステップＳ２０３として、他のセンサによる検出を停止中であるかを判別する。他のセンサによる検出を停止中ではない場合（ステップＳ２０３，Ｎｏ）、制御部１０は、図４に示す処理手順を終了させる。
【００５７】
他のセンサによる検出を停止中である場合（ステップＳ２０３，Ｙｅｓ）、制御部１０は、ステップＳ２０４に進む。制御部１０は、ステップＳ２０４として、他のセンサによる検出を開始させる。例えば、制御部１０は、複数のセンサを上記の第１検出周期で検出させる。その後、制御部１０は、図４に示す処理手順を終了させる。
【００５８】
生体反応が検出されていない場合（ステップＳ２０２，Ｎｏ）、制御部１０は、ステップＳ２０５に進む。制御部１０は、ステップＳ２０５として、他のセンサによる検出を停止中であるかを判別する。他のセンサによる検出を停止中である場合（ステップＳ２０５，Ｙｅｓ）、制御部１０は、図４に示す処理手順を終了させる。
【００５９】
他のセンサによる検出を停止中ではない場合（ステップＳ２０５，Ｎｏ）、制御部１０は、ステップＳ２０６に進む。制御部１０は、ステップＳ２０６として、他のセンサによる検出を停止させる。その後、制御部１０は、図４に示す処理手順を終了させる。
【００６０】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００６１】
例えば、図２に示した各プログラムは、複数のモジュールに分割されていてもよいし、他のプログラムと結合されていてもよい。
【００６２】
上記の実施形態では、携帯装置１が生体センサ１６と異なる他のセンサによる検出周期を、ユーザの装着状態に応じて、長くしたり、短くしたり、停止したりする場合について説明したが、これに限定されてない。例えば、携帯装置１は、他のセンサによる検出周期を変更するとともに、生体センサ１６による検出周期も変更するように構成されてもよい。
【００６３】
上記の実施形態では、携帯装置１は、生体センサ１６による検出の有無に応じて生体反応の検出を行う場合について説明したが、これに限定されない。例えば、携帯装置１は、生体センサ１６と異なるセンサを用いて生体反応の検出の有無を判別し、生体センサ１６を含む他のセンサによる検出周期を変更するように構成されてもよい。例えば、近接センサ１２による物体の検出結果に応じて、携帯装置１は、近接センサ１２と異なる他のセンサ（生体センサ１６を含む）の検出周期を変更するように構成されてもよい。これにより、携帯装置１は、生体センサ１６によってユーザの生体に関する検出結果を、ユーザによる装着に応じて収集することができる。
【００６４】
上記の実施形態では、携帯電子機器の例として、携帯装置１について説明したが、添付の請求項に係る携帯電子機器は、携帯装置１に限定されない。添付の請求項に係る携帯電子機器は、携帯装置１以外の携帯電子機器であってもよい。携帯電子機器は、例えば、歩数計、睡眠計、タブレット、携帯型パソコン、デジタルカメラ、メディアプレイヤ、電子書籍リーダ、ナビゲータ、及びゲーム機を含むが、これに限定されない。
【００６５】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００６６】
１  携帯装置
２  タッチスクリーンディスプレイ
２ａ  ディスプレイ
２ｂ  タッチスクリーン
４  通信部
５  カメラ
６  マイク
７  スピーカ
９  記憶部
９ａ  制御プログラム
９ｂ  設定データ
９ｃ  検出データ
１０  制御部
１１  照度センサ
１２  近接センサ
１３  加速度センサ
１４  方位センサ
１５  ジャイロセンサ
１６  生体センサ
【図１】
2016122927.tif 000003
【図２】
2016122927.tif 000004
【図３】
2016122927.tif 000005
【図４】
2016122927.tif 000006